(57)【要約】【課題】パネルを収容する外装をパネルを立設するための脚とすることで、資源を有効利用すること。【解決手段】外装兼用脚１０は、ディスプレイ用のパネル２０を一態様において収容し、一態様から変形されて他態様となり、他態様においてパネル２０を支持して立設させ、一態様において、中部１１の固着面１０ａ側に、パネル２０を覆うように、右部１４、左部１５、下右部１６、下左部１７、下部１２及び上部１３が折り重ねられ、他態様において、下部１２及び上部１３が上下方向に展開され、右部１４、左部１５、下右部１６及び下左部１７が固着面１０ａと反対面側に折り曲げられて、右部１４と左部１５とが互いに係合され、下右部１６と下左部１７とが互いに係合され、前記パネルを支持する。【選択図】図１
2013044797.tif 000002
【特許請求の範囲】
【請求項１】
ディスプレイ用のパネルを一態様において収容し、前記一態様から変形されて他態様となり、前記他態様において前記パネルを支持して立設させる外装兼用脚であって、
矩形に形成され、前記パネルの一部が固着された固着面を有する中部と、
前記中部の下辺に折り曲げ線を介して隣接し配置され、矩形に形成された下部と、
前記中部の上辺に折り曲げ線を介して隣接し配置された上部と、
前記中部の右辺に折り曲げ線を介して隣接し配置された右部と、
前記中部の左辺に折り曲げ線を介して隣接し配置された左部と、
前記下部の右辺に折り曲げ線を介して隣接し配置された下右部と、
前記下部の左辺に折り曲げ線を介して隣接し配置された下左部と、を有し、
前記右部には、前記左部と互いに係脱可能とする右係脱部が形成され、
前記左部には、前記右部と互いに係脱可能とする左係脱部が形成され、
前記下右部には、前記下左部と互いに係脱可能とする下右係脱部が形成され、
前記下左部には、前記下右部と互いに係脱可能とする下左係脱部が形成され、
前記一態様において、前記中部の前記固着面側に、前記パネルを覆うように、前記右部、前記左部、前記下右部、前記下左部、前記下部及び前記上部が折り重ねられ、
前記他態様において、前記下部及び前記上部が上下方向に展開され、前記右部、前記左部、前記下右部及び前記下左部が前記固着面と反対面側に折り曲げられて、前記右部と前記左部とが互いに係合され、前記下右部と前記下左部とが互いに係合され、前記パネルを支持する外装兼用脚。
【請求項２】
前記下部、前記中部及び前記上部に跨って、上下方向に延びる中央折り曲げ線が形成される請求項１に記載の外装兼用脚。
【請求項３】
前記中部及び前記上部に跨って、上下方向に延び、かつ八の字形状に配置された右折り曲げ線及び左折り曲げ線が形成され、
前記左部には、前記左折り曲げ線に平行する左部折り曲げ線が形成され、
前記左係脱部は、前記左部折り曲げ線上に形成され、
前記右部には、前記右折り曲げ線に平行する右部折り曲げ線が形成され、
前記右係脱部は、前記右部折り曲げ線上に形成される請求項１又は２に記載の外装兼用脚。
【請求項４】
更に、前記下部の下辺に折り曲げ線を介して隣接し配置された補助部を有し、
前記下部の下方には、前記補助部と互いに係脱可能とする下係脱部が形成される請求項１から３のいずれかに記載の外装兼用脚。
【請求項５】
前記上部は、前記一態様において前記下部を保持し、前記パネルの部分のうち、前記他態様において前記上部と重なる前記パネルを保持する保持部材を備える請求項１から４のいずれかに記載の外装兼用脚。
【発明の詳細な説明】
【技術分野】
【０００１】
本発明は、外装兼用脚に関し、詳細には、ディスプレイパネルに適用される外装兼用脚に関する。
【背景技術】
【０００２】
従来、ディスプレイパネルのうち、人物の等身大の写真が印刷されたようなパネルは、パネルの印刷面の裏面にパネルを支持する脚が設けられ、立設して店舗等に配置される。
このような脚として、折り畳み可能な上方部材と、折り畳み可能な下方部材と、上方部材と下方部材とを固定する固定部材とで構成され、パネルの裏面より上方部材及び上方部材で支持してパネルを立設する支持部材が提案されている（特許文献１）。
上記特許文献１の支持部材によれば、例えば、パネルの運搬時には上方部材及び上方部材を折り畳むことで、コンパクトにして運搬できる。
【先行技術文献】
【特許文献】
【０００３】
【特許文献１】特開２００９−１１６１７１号公報
【発明の概要】
【発明が解決しようとする課題】
【０００４】
ところで、ディスプレイパネルは、運搬時において、パネルが汚れたり傷ついたりすることを回避するため、外装に収容されて運搬される。そして、ディスプレイパネルは、設置場所において、外装から取り出され、例えば、上記特許文献１の支持部材のような脚で立設される。その後、ディスプレイパネルを収容していた外装は廃棄される。
しかしながら、例えば、人物の等身大の写真が印刷されたようなパネルは面積が大きいため、このパネルを収容する外装も必然的に大きなものとなり、このような外装を廃棄するのは資源の有効利用の観点、ひいては環境保護の観点から問題があった。
【０００５】
本発明は、このような状況に鑑みてなされたものであり、パネルを収容する外装をパネルを立設するための脚とすることで、資源を有効利用することを目的とする。
【課題を解決するための手段】
【０００６】
（１）  ディスプレイ用のパネルを一態様において収容し、前記一態様から変形されて他態様となり、前記他態様において前記パネルを支持して立設させる外装兼用脚であって、
矩形に形成され、前記パネルの一部が固着された固着面を有する中部と、
前記中部の下辺に折り曲げ線を介して隣接し配置され、矩形に形成された下部と、
前記中部の上辺に折り曲げ線を介して隣接し配置された上部と、
前記中部の右辺に折り曲げ線を介して隣接し配置された右部と、
前記中部の左辺に折り曲げ線を介して隣接し配置された左部と、
前記下部の右辺に折り曲げ線を介して隣接し配置された下右部と、
前記下部の左辺に折り曲げ線を介して隣接し配置された下左部と、を有し、
前記右部には、前記左部と互いに係脱可能とする右係脱部が形成され、
前記左部には、前記右部と互いに係脱可能とする左係脱部が形成され、
前記下右部には、前記下左部と互いに係脱可能とする下右係脱部が形成され、
前記下左部には、前記下右部と互いに係脱可能とする下左係脱部が形成され、
前記一態様において、前記中部の前記固着面側に、前記パネルを覆うように、前記右部、前記左部、前記下右部、前記下左部、前記下部及び前記上部が折り重ねられ、
前記他態様において、前記下部及び前記上部が上下方向に展開され、前記右部、前記左部、前記下右部及び前記下左部が前記固着面と反対面側に折り曲げられて、前記右部と前記左部とが互いに係合され、前記下右部と前記下左部とが互いに係合され、前記パネルを支持する。
【０００７】
（１）の発明によれば、一態様において、ディスプレイ用のパネルが固着された中部の固着面側に、パネルを覆うように、右部、左部、下右部、下左部、下部及び上部が折り重ねられる。これにより、例えば、外装兼用脚は、運搬時において一態様とすることで、パネルを覆うことができるので、ディスプレイ用のパネルの外装として機能し、当該パネルが汚れたり傷ついたりすることを防止できる。
一方、他態様において、下部及び上部が上下方向に展開され、右部、左部、下右部及び下左部が固着面と反対面側に折り曲げられて、右部と左部とが互いに係合され、下右部と下左部とが互いに係合され、パネルを支持する。これにより、外装兼用脚は、パネルを設置するときにおいて他態様とすることで、パネルの裏側において、ディスプレイ用のパネルの脚として機能し、当該パネル立設させることができる。
即ち、（１）の発明によれば、例えば、運搬時においてディスプレイ用のパネルの外装として使用した部材を、当該パネルを立設させるための脚として利用できる。
したがって、パネルを収容する外装をパネルを立設するための脚とすることで、資源を有効利用できる。
【０００８】
（２）  前記下部、前記中部及び前記上部に跨って、上下方向に延びる中央折り曲げ線が形成される（１）の外装兼用脚。
これにより、下部、中部及び上部を中央折り曲げ線を山として折り曲げることができるので、他態様において、パネルを立設するための脚として機能する外装兼用脚の幅を狭くできるとともに、外装兼用脚の奥行きを延ばすことができる。
ここで、パネルの幅が外装兼用脚の幅より狭くなると、パネルの正面から外装兼用脚が見えてしまい、美観を損なうおそれがある。よって、外装兼用脚の幅を狭くすることで、例えば、パネルのデザインにおいて、パネルの一部のみが他の部分に比べて幅が狭くなるようなものも採用でき、パネルのデザインの自由度を向上できる。
また、外装兼用脚の奥行きを延ばすことで、パネルの裏面からより離れた位置まで脚を延ばすことができるので、より安定してパネルを支持できる。
【０００９】
（３）  前記中部及び前記上部に跨って、上下方向に延び、かつ八の字形状に配置された右折り曲げ線及び左折り曲げ線が形成され、
前記左部には、前記左折り曲げ線に平行する左部折り曲げ線が形成され、
前記左係脱部は、前記左部折り曲げ線上に形成され、
前記右部には、前記右折り曲げ線に平行する右部折り曲げ線が形成され、
前記右係脱部は、前記右部折り曲げ線上に形成される（１）又は（２）に記載の外装兼用脚。
これにより、中部及び上部を中央折り曲げ線を山として折り曲げることができるので、他態様において、パネルを立設するための脚として機能する外装兼用脚の中部より上部の幅を先細りに狭くできる。よって、外装兼用脚の中部より上部の幅を先細りに狭くすることで、例えば、パネルのデザインにおいて、パネルの中間より上方が下方に比べて幅が狭くなるようなもの、例えば、等身大の人物が印刷されたパネルにおいて、人物の顔の周囲のみが顔の形状に切り抜かれたようなデザインも採用でき、パネルのデザインの自由度を向上できる。
【００１０】
（４）  更に、前記下部の下辺に折り曲げ線を介して隣接し配置された補助部を有し、
前記下部の下方には、前記補助部と互いに係脱可能とする下係脱部が形成される（１）から（３）のいずれかに記載の外装兼用脚。
これにより、他態様において、パネルを立設するための脚として機能する外装兼用脚の下部を補強し強度を向上できる。
【００１１】
（５）  前記上部は、前記一態様において前記下部を保持し、前記パネルの部分のうち、前記他態様において前記上部と重なる前記パネルを保持する保持部材を備える（１）から（４）のいずれかに記載の外装兼用脚。
これにより、１つの上部の保持部材により、一態様において下部を保持することで、例えば、運搬時において、下部が開くのを防止できるとともに、他態様においてパネルを保持することで、設置時にパネルの上方部分が垂れるのを防止できる。よって、それぞれの場合に応じた保持部材を設けた場合に比べて、部品点数を減らすことができる。
【発明の効果】
【００１２】
本発明によれば、パネルを収容する外装をパネルを立設するための脚とすることで、資源を有効利用できる。
【図面の簡単な説明】
【００１３】
【図１】本発明の実施形態に係る外装兼用脚の構成を説明する展開図である。
【図２】本実施形態に係るディスプレイスタンドの他態様における斜視図である。
【図３】本実施形態に係るディスプレイスタンドの一態様における上面図である。
【図４】ディスプレイスタンドを一態様から他態様に変形する手順を説明する図である。
【図５】ディスプレイスタンドを一態様から他態様に変形する手順を説明する図である。
【図６】ディスプレイスタンドを一態様から他態様に変形する手順を説明する図である。
【図７】ディスプレイスタンドを一態様から他態様に変形する手順を説明する図である。
【図８】ディスプレイスタンドを一態様から他態様に変形する手順を説明する図である。
【図９】本実施形態に係るディスプレイスタンドの第１変形例を示す図である。
【図１０】本実施形態に係るディスプレイスタンドの第２変形例を示す図である。
【図１１】本実施形態に係るディスプレイスタンドの第３変形例を示す図である。
【図１２】本実施形態に係るディスプレイスタンドの第４変形例を示す図である。
【発明を実施するための形態】
【００１４】
以下に、本発明の実施形態を図面に基づいて詳細に説明する。なお、以下の実施形態の説明にあたって、同一構成要件については同一符号を付し、その説明を省略もしくは簡略化する。
【００１５】
本発明の実施形態を図を参照して具体的に説明する。
図１は、本発明の実施形態に係る外装兼用脚１０の構成を説明する展開図である。
図２は、本実施形態に係るディスプレイスタンド１の他態様における斜視図である。
図３は、本実施形態に係るディスプレイスタンド１の一態様における上面図である。
図１，４〜６，９〜１２中において、一点鎖線は当該一点鎖線を介して接する一方の部に対し他方の部が折り曲げ自在とする折り曲げ線であることを示す。また、図１，４〜６，９〜１２中において、太い実線は、切り込みされている切り込み線であることを示す。
【００１６】
本実施形態におけるディスプレイスタンド１は、本発明の実施形態に係る外装兼用脚１０を適用した一例である。
ディスプレイスタンド１は、パネル２０と、このパネル２０を図３に示す一態様において収容し、一態様から変形されて図２に示す他態様となり、この他態様においてパネル２０を支持して立設させる外装兼用脚１０と、を備える。具体的には、外装兼用脚１０は、例えば、一態様において、ディスプレイスタンド１の運搬時や保管時にパネル２０を覆って収容するととともに、他態様において、パネル２０の設置時にパネル２０を垂直方向に展開して立設させる脚として機能する。
本実施形態のディスプレイスタンド１は、寸法が１０１０ｍｍ×２０００ｍｍのパネル２０を収容し又は立設させるのに好適な形態であるが、以下に説明する各部を適宜変形することで、その他の寸法のパネルに適用することもできる。
本実施形態において、「下方」とはディスプレイスタンド１が他態様において立設された状態における接地方向（例えば、図１中Ｕ方向）であり、「上方」とは下方の反対方向（例えば、図１中Ｔ方向）である。また、本実施形態において、「右方」とは上記上下方向と直交する方向の一方の方向（例えば、図１中Ｒ方向）であり、「左方」とは右方の反対方向（例えば、図１中Ｌ方向）である。
【００１７】
図１を参照して、外装兼用脚１０の構成を詳細に説明する。
外装兼用脚１０は、パネル２０の一部が固着される固着面１０ａと、固着面の反対側の面である反対面１０ｂ（図２参照）と、を有する。
図１は、外装兼用脚１０の固着面１０ａの上面図であり、外装兼用脚１０とパネル２０との関係を示すために、パネル２０の輪郭と折り曲げ線も点線で示している。
また、本実施形態において、各部を固着面１０ａ側に折り曲げることを内側に折り曲げるとも呼び、一方、各部を反対面１０ｂに折り曲げることを外側に折り曲げるとも呼ぶ。
【００１８】
外装兼用脚１０は、矩形に形成された中部１１と、中部１１の下辺に折り曲げ線を介して隣接し配置され、矩形に形成された下部１２と、中部１１の上辺に折り曲げ線を介して隣接し配置された上部１３と、中部１１の右辺に折り曲げ線を介して隣接し配置された右部１４と、中部１１の左辺に折り曲げ線を介して隣接し配置された左部１５と、下部１２の右辺に折り曲げ線を介して隣接し配置された下右部１６と、下部１２の左辺に折り曲げ線を介して隣接し配置された下左部１７と、下部１２の下辺に折り曲げ線を介して隣接し配置された補助部１８と、を備える。
【００１９】
ここで、本実施形態の各部において、「下辺」とは他態様において下方（図１中Ｕ方向）に位置する辺であり、「上辺」とは他態様において上方（図１中Ｔ方向）に位置する辺であり、「右辺」とは固着面１０ａ側から視た右方（図１中Ｒ方向）に位置する辺であり、「左辺」とは固着面１０ａ側から視た左方（図１中Ｌ方向）に位置する辺である。
【００２０】
また、外装兼用脚１０には、下部１２、中部１１及び上部１３に跨って、上下方向に延びる２本の中央折り曲げ線１０ｃ，１０ｄが形成されている。中央折り曲げ線１０ｃ，１０ｄは、外装兼用脚１０の上下方向の中心から互い左右方向に所定間隔を空けて形成されている。
また、外装兼用脚１０には、中部１１及び上部１３に跨って、上下方向に延び、かつ八の字形状に配置された右折り曲げ線１０ｆ及び左折り曲げ線１０ｅが形成されている。即ち、右折り曲げ線１０ｆは、中部１１の下辺と右辺との角から上方に向かって斜め左方向へ延びている。また、左折り曲げ線１０ｅは、中部１１の下辺と左辺との角から上方に向かって斜め右方向へ延びている。
外装兼用脚１０は、他態様において、下部１２、中部１１及び上部１３が中央折り曲げ線１０ｃ，１０ｄをそれぞれ山として、外側に折り曲げられる。また、外装兼用脚１０は、他態様において、更に、中部１１及び上部１３が右折り曲げ線１０ｆ及び左折り曲げ線１０ｅをそれぞれ山として、外側に折り曲げられる。
【００２１】
中部１１は、固着面１０ａにパネル２０の裏面の一部が固着されている。本実施形態において、パネル２０の「裏面」とは、パネル２０において表示する面（例えば、広告用のパネルであれば、広告を表示する面）の反対側の面を呼ぶ。中部１１は、幅（ＬＲ方向）１０１０ｍｍ×高さ（ＴＵ方向）７５０ｍｍの矩形状に形成されている。
【００２２】
下部１２は、中部１１の下辺に隣接する上辺に沿って延びる折り代部１９を有する。この折り代部１９は、中部１１の下辺を形成する折り曲げ線と、所定間隔を空けて当該折り曲げ線と平行して延びる折り曲げ線とに挟まれた部分である。
また、下部１２には、後述する補助部１８の爪部１８ａが挿入されてこの爪部１８ａを係止する略三角形状の孔部１２ａが形成されている。下部１２は、幅（ＬＲ方向）が中部１１と同寸法である１０１０ｍｍで形成され、高さ（ＴＵ方向）が中部１１の高さ以下であり、かつ、中部１１の高さの半分よりも大きい寸法で形成されている。
【００２３】
上部１３は、中部１１の上辺に隣接する下辺に沿って延びる折り代部１９を有する。この折り代部１９は、中部１１の上辺を形成する折り曲げ線と、所定間隔を空けて当該折り曲げ線と平行して延びる折り曲げ線とに挟まれた部分である。
上部１３は、幅（ＬＲ方向）が中部１１と同寸法である１０１０ｍｍで形成され、高さ（ＴＵ方向）が、中部１１の高さ以下の寸法で形成されている。本実施形態において、上部１３の高さの寸法は、中部１１の高さ以下の寸法であり、かつ、下部１２の高さの寸法と合算した値が中部１１の高さの寸法より大きければよい。これにより、中部１１に折り重ねられたパネル２０の上に、更に、下部１２及び上部１３を折り重ねることで、下部１２及び上部１３の端部が互いに重なり、パネル２０を覆うことができる。
【００２４】
右部１４は、中部１１の右辺に隣接する左辺に沿って延びる折り代部１９を有する。この折り代部１９は、中部１１の右辺を形成する折り曲げ線と、所定間隔を空けて当該折り曲げ線と平行して延びる折り曲げ線とに挟まれた部分である。
また、右部１４には、右折り曲げ線１０ｆに平行する右部折り曲げ線１４ａが形成されている。また、右部１４には、右部折り曲げ線１４ａ上に左部１５と互いに係脱可能とする右係脱部１４ｂが所定間隔を空けて３つ形成されている。
右係脱部１４ｂは、下方に膨らみ部分が垂れ下がったＣ字形状の切り込みである。右係脱部１４ｂは、右部１４の端部を右部折り曲げ線１４ａを山として内側に折り曲げることで、右部１４の反対面１０ｂ（図２参照）側から突出する。
【００２５】
左部１５は、中部１１の左辺に隣接する右辺に沿って延びる折り代部１９を有する。この折り代部１９は、中部１１の左辺を形成する折り曲げ線と、所定間隔を空けて当該折り曲げ線と平行して延びる折り曲げ線とに挟まれた部分である。
また、左部１５には、左折り曲げ線１０ｅに平行する左部折り曲げ線１５ａが形成されている。また、左部１５には、左部折り曲げ線１５ａ上に右部１４の右係脱部１４ｂと互いに係脱可能とする左係脱部１５ｂが所定間隔を空けて３つ形成されている。
左係脱部１５ｂは、両端部が僅かに屈曲した直線形状の切り込みである。左係脱部１５ｂは、左部１５の端部を左部折り曲げ線１５ａを山として内側に折り曲げることで、左部１５の反対面１０ｂ（図２参照）側から突出する。
【００２６】
右部１４と左部１５とは、左係脱部１５ｂに右係脱部１４ｂが挿入されることで、互いに連結される。そして、右部１４と左部１５とは、左係脱部１５ｂから右係脱部１４ｂが抜き出されることで、互いに分離される。
なお、本実施形態において、右係脱部１４ｂと左係脱部１５ｂとの数を３つとしているが、これに限られず、ディスプレイスタンド１の高さや幅に応じて、任意の数とすることができる。
【００２７】
下右部１６は、下部１２の右辺に隣接する左辺に沿って延びる折り代部１９を有する。この折り代部１９は、下部１２の右辺を形成する折り曲げ線と、所定間隔を空けて当該折り曲げ線と平行して延びる折り曲げ線とに挟まれた部分である。
また、下右部１６には、中央折り曲げ線１０ｄに平行する下右部折り曲げ線１６ａが形成されている。また、下右部１６には、下右部折り曲げ線１６ａ上に下左部１７と互いに係脱可能とする下右係脱部１６ｂが所定間隔を空けて２つ形成されている。
下右係脱部１６ｂは、下方に膨らみ部分が垂れ下がったＣ字形状の切り込みである。下右係脱部１６ｂは、下右部１６の端部を下右部折り曲げ線１６ａを山として外側に折り曲げることで、下右部１６の固着面１０ａ側から突出する。
【００２８】
下左部１７は、下部１２の左辺に隣接する右辺に沿って延びる折り代部１９を有する。この折り代部１９は、下部１２の左辺を形成する折り曲げ線と、所定間隔を空けて当該折り曲げ線と平行して延びる折り曲げ線とに挟まれた部分である。
また、下左部１７には、中央折り曲げ線１０ｃに平行する下左部折り曲げ線１７ａが形成されている。また、下左部１７には、下左部折り曲げ線１７ａ上に下右部１６の下右係脱部１６ｂと互いに係脱可能とする下左係脱部１７ｂが所定間隔を空けて２つ形成されている。
下左係脱部１７ｂは、両端部が僅かに屈曲した直線形状の切り込みである。下左係脱部１７ｂは、下左部１７の端部を下左部折り曲げ線１７ａを山として外側に折り曲げることで、下左部１７の固着面１０ａ側から突出する。
【００２９】
下右部１６と下左部１７とは、下左係脱部１７ｂに下右係脱部１６ｂが挿入されることで、互いに連結される。そして、下右部１６と下左部１７とは、下左係脱部１７ｂから下右係脱部１６ｂを抜き出されることで、互いに分離される。
なお、本実施形態において、下右係脱部１６ｂと下左係脱部１７ｂとの数を２つとしているが、これに限られず、ディスプレイスタンド１の高さや幅に応じて、任意の数とすることができる。
【００３０】
補助部１８は、上方から下方に向けて広がる台形形状に形成され、左右方向（ＬＲ方向）に突出する爪部１８ａを有する。爪部１８ａは、Ｃ字形状又はＣ字形状を反転した形状に形成されている。
外装兼用脚１０は、他態様において、下部１２、中部１１及び上部１３が中央折り曲げ線１０ｃ，１０ｄをそれぞれ山として、外側に折り曲げられる。その後、下部１２の孔部１２ａには、補助部１８の爪部１８ａが挿入される。
【００３１】
折り代部１９は、各部を内側に折り曲げたときに、ディスプレイスタンド１の一態様におけるマチとなる部である。折り代部１９によりマチを設けることで、一態様において、外装兼用脚１０の内部にパネル２０を収容しても、ディスプレイスタンド１に歪み等が生じない。
【００３２】
パネル２０は、中部１１の左右方向の幅より小さい幅で形成されている。パネル２０は、左右方向（ＬＲ方向）に延びる２本の折り曲げ線により分割される３つの部分を有する。この３つの部分は、それぞれ、左右方向（ＬＲ方向）の幅が中部１１の幅より小さい寸法で形成され上下方向（ＴＵ方向）の高さが中部１１の高さより小さい寸法で形成されている。これにより、パネル２０は、３つの部分が互いに重なるように折り曲げることで、中部１１の外形の内側に収まる。
また、パネル２０は、３つの部分の真ん中の部分が中部１１に固着される。詳細には、真ん中の部分のうち、中部１１の中央折り曲げ線１０ｃ，１０ｄにより挟まれた部分と重なる部分が中部１１に固着される。
なお、本実施形態において、パネル２０は、折り曲げ線により３つの部分に分割しているが、これに限られず、重なるように折り曲げることで又は折り曲げすに、中部１１の外形の内側に収まる限り、パネルの大きさに応じて、任意の数の部分にすることができる。また、本実施形態において、パネル２０は、中部１１に固着されているが、これに限らず、着脱自在とすることもできる。
【００３３】
ディスプレイスタンド１は、上部１３の固着面１０ａ側に設けられた上部保持部材３０を備える。また、ディスプレイスタンド１は、上部保持部材３０と着脱自在である、下部１２の反対面１０ｂ（図２参照）側に設けられた下部保持部材３０ａと、パネル２０の３つの部分のうち、他態様において上部１３と重なる部分に設けられたパネル保持部材３０ｂと、を備える。これにより、上部保持部材３０は、一態様において下部保持部材３０ａと係着し、他態様に変形する場合には下部保持部材３０ａとの係着がはがされ、パネル保持部材３０ｂと係着する。
【００３４】
次に、ディスプレイスタンド１の動作を説明する。
図４から図８は、ディスプレイスタンド１を一態様から他態様に変形する手順を説明する図である。
まず、ディスプレイスタンド１の一態様における状態について、図１を参照して説明する。
ディスプレイスタンド１の一態様では、パネル２０は３つの部分が互いに重なるように折り重ねられて中部１１の固着面１０ａ上に配置されている。そして、このパネル２０の上に、右部１４及び左部１５が内側に折り曲げられて重ねられている。また、このパネル２０の上に、補助部１８、下右部１６及び下左部１７が折り重ねられた下部１２が内側に折り曲げられて重ねられている。更に、このパネル２０の上に、上部１３が内側に折り曲げられて重ねられている。これにより、ディスプレイスタンド１は、図３に示す一態様となる。このように、ディスプレイスタンド１の一態様では、下部１２、上部１３、右部１４及び左部１５によって、パネル２０の全体が覆われている。
【００３５】
次に、ディスプレイスタンド１を一態様から他態様に変形する手順を説明する。
まず、図３の矢印で示すように、上部１３を外側に開いてから、下部１２も外側に開く。
次に、図４の矢印で示すように、右部１４、左部１５、下右部１６及び下左部１７を外側に開いてから、３つの部分が互いに重なるように折り重ねられパネル２０を外側に開く。
これにより、図５に示すように、ディスプレイスタンド１は、固着面１０ａ側が上を向いた状態になる。
次に、図５の矢印で示すように、ディスプレイスタンド１を１８０°反転させることで、図６に示すように、ディスプレイスタンド１は、反対面１０ｂ側が上を向いた状態になる。
次に、図６の矢印で示すように、右部１４と左部１５とを互いに近接させ、下右部１６と下左部１７とを互いに近接させる。
次に、図７に示すように、左部１５の左係脱部１５ｂに右部１４の右係脱部１４ｂを挿入する。
また、図８に示すように、下左部１７の下左係脱部１７ｂに下右部１６の下右係脱部１６ｂを挿入し、下部１２の孔部１２ａに補助部１８の爪部１８ａを挿入する。
これにより、ディスプレイスタンド１は、図２に示す他態様となる。
【００３６】
図９は、本実施形態に係るディスプレイスタンド１の第１変形例を示す図である。
第１変形例に係るディスプレイスタンド１Ａは、寸法が６００ｍｍ×１８００ｍｍのパネル２０Ａを収容し又は立設させるのに好適な形態である。
ディスプレイスタンド１Ａの外装兼用脚１０Ａは、ディスプレイスタンド１の外装兼用脚１０の各部の寸法を、パネル２０Ａの寸法に合わせて縮小したものである。
外装兼用脚１０Ａは、下左係脱部の形態が外装兼用脚１０と異なる。外装兼用脚１０Ａの下左係脱部１７Ａｂは、略矩形形状に形成された孔である。このように、下左係脱部の形態は、下右係脱部と係脱できる限り、任意の形態とすることができる。また、同様に、左係脱部の形態は、右係脱部と係脱できる限り、任意の形態とすることができる。
【００３７】
図１０は、本実施形態に係るディスプレイスタンド１の第２変形例を示す図である。
第２変形例に係るディスプレイスタンド１Ｂは、寸法が６００ｍｍ×１０００ｍｍのパネル２０Ｂを収容し又は立設させるのに好適な形態である。
ディスプレイスタンド１Ｂの外装兼用脚１０Ｂは、ディスプレイスタンド１の外装兼用脚１０の各部の寸法を、パネル２０Ｂの寸法に合わせて縮小したものである。
外装兼用脚１０Ｂは、右係脱部と左係脱部及び下右係脱部と下左係脱部の数が外装兼用脚１０と異なる。外装兼用脚１０Ｂの右係脱部、左係脱部、下右係脱部及び下左係脱部の数は、それぞれ１つである。このように、右係脱部、左係脱部、下右係脱部及び下左係脱部の数は、外装兼用脚１０Ｂの寸法に応じて、任意の数とすることができる。
【００３８】
図１１は、本実施形態に係るディスプレイスタンド１の第３変形例を示す図である。
第３変形例に係るディスプレイスタンド１Ｃは、寸法が１０００ｍｍ×１５００ｍｍのパネル２０Ｃを収容し又は立設させるのに好適な形態である。
ディスプレイスタンド１Ｃの外装兼用脚１０Ｃは、ディスプレイスタンド１の外装兼用脚１０の各部の寸法を、パネル２０Ｃの寸法に合わせて縮小したものである。
【００３９】
外装兼用脚１０Ｃは、右係脱部と左係脱部の数が外装兼用脚１０と異なる。外装兼用脚１０Ｂの右係脱部及び左係脱部の数は、それぞれ２つである。また、外装兼用脚１０Ｃは、補助部及び補助部の爪部が挿入される下部の孔部の形態が、外装兼用脚１０と異なる。外装兼用脚１０Ｃの補助部１８Ｃは、下右部１６Ｃ及び下左部１７Ｃにそれぞれ形成されている。
補助部１８Ｃは、左右方向（図１１中ＬＲ方向）に延びる折り曲げ線と、この折り曲げ線を底辺とした略直角三角形状において下部１２Ｃに向かって傾斜する斜辺にＣ字形状の膨らみを有する切り込みにより形成される爪部１８Ｃａと、を備える。
また、下部１２Ｃの孔部１２Ｃａは、爪部１８ＣａのＣ字形状の膨らみが挿入可能な幅で形成された溝が、補助部１８Ｃに向かってカーブする円弧形状に形成されている。
外装兼用脚１０Ｃは、他態様において、下右部１６Ｃ及び下左部１７Ｃが折り曲げ線をそれぞれ山として、外側に折り曲げられる。その後、下部１２Ｃの孔部１２Ｃａには、爪部１８ＣａのＣ字形状の膨らみが挿入される。
【００４０】
図１２は、本実施形態に係るディスプレイスタンド１の第４変形例を示す図である。
第４変形例に係るディスプレイスタンド１Ｄは、両開きするＣＤケースであるパネル２０Ｄを収容し又は立設させるのに好適な形態である。
ディスプレイスタンド１Ｄの外装兼用脚１０Ｄは、ディスプレイスタンド１の外装兼用脚１０の各部の寸法を、パネル２０Ｄの寸法に合わせて縮小したものである。
このように、本実施形態の外装兼用脚は、各部の寸法を調整することで、ディスプレイするパネルに相当する様々な形態のものに適用できる。
【００４１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４２】
１０    外装兼用脚
１０ａ  固着面
１１    中部
１２    下部
１３    上部
１４    右部
１５    左部
１６    下右部
１７    下左部
２０    パネル
【図１】
2013044797.tif 000003
【図２】
2013044797.tif 000004
【図３】
2013044797.tif 000005
【図４】
2013044797.tif 000006
【図５】
2013044797.tif 000007
【図６】
2013044797.tif 000008
【図７】
2013044797.tif 000009
【図８】
2013044797.tif 000010
【図９】
2013044797.tif 000011
【図１０】
2013044797.tif 000012
【図１１】
2013044797.tif 000013
【図１２】
2013044797.tif 000014